(57)【要約】【課題】被介護者に容易かつ迅速に着させることができると共に、美感に優れ、着ている服の上から羽織ることができ、排泄時にも脱がせることなく排泄を行うことができる被介護者用衣服を提供する。【解決手段】右片部５及び左片部６を有し開閉可能な前身頃２と、前身頃２に連続する後身頃３と、前身頃２及び後身頃３に連続する左右の袖部４を備える被介護者用ガウン１であって、後身頃３は下端部から袖部４の脇下部近傍の高さに至るまで形成され下側から上側に向かうに従い漸次幅が狭くなる切欠部１２を有する。【選択図】図３
0003233474.tif 000002
【実用新案登録請求の範囲】
【請求項１】
右片部及び左片部を有し開閉可能な前身頃と、前記前身頃に連続する後身頃と、前記前身頃及び前記後身頃に連続する左右の袖部を備える被介護者用衣服であって、前記後身頃は下端部から前記袖部の脇下部近傍の高さに至るまで形成され下側から上側に向かうに従い漸次幅が狭くなる切欠部を有することを特徴とする被介護者用衣服。
【請求項２】
前記右片部と前記左片部の裏側の下端部近傍にそれぞれ下側係止片が形成されていると共に、左右の前記袖部の肩部の近傍にそれぞれ上側係止片が形成されていて、前記下側係止片を前記上側係止片に係止可能であることを特徴とする請求項１に記載の被介護者用衣服。
【請求項３】
前記袖部の肩部近傍に形成された開口部と、
前記袖部の先端部近傍の内側に一端部が固定され、他端部が前記開口部から外部に露出した調節紐と、
前記調節紐の前記開口部から外部に露出した部分において前記調節紐にスライド可能かつ固定可能に取り付けられた、前記開口部よりも大きな径を有する固定具と、
を備えることを特徴とする請求項１又は２に記載の被介護者用衣服。
【請求項４】
前記固定具が前記上側係止片になっていることを特徴とする請求項３に記載の被介護者用衣服。
【請求項５】
前記前身頃の前記右片部及び前記左片部を閉じ合わせるワンタッチ式固定具を備えることを特徴とする請求項１乃至４の何れか１項に記載の被介護者用衣服。
【請求項６】
前記前身頃に帯状部が形成されていて、前記ワンタッチ式固定具は前記帯状部に形成されていることを特徴とする請求項５に記載の被介護者用衣服。
【考案の詳細な説明】
【技術分野】
【０００１】
本考案は、被介護者に用いられる被介護者用衣服に関する。
【背景技術】
【０００２】
近年、日本では少子高齢化が益々進行し介護施設の入居者が増加傾向にある一方で、介護施設で働く介護者の数は不足しており、介護者の作業負担が増大している。そして、介護者の作業の中でも被介護者の着替えは大きな負担になる作業であり、作業の簡易化、迅速化が求められている。
【０００３】
こうした着替えの作業負担を軽減するため、種々の被介護者用衣服が提案されている。例えば特許文献１には、衣服の左右が雄スナップと雌スナップにより袖口まで開閉可能に構成されている介護用衣服が開示されている。
【０００４】
この介護用衣服は、被介護者の頭から被せた後、衣服の左右の雄スナップと雌スナップを嵌めて衣服の左右を閉じることにより、被介護者に着せることができる。
【先行技術文献】
【特許文献】
【０００５】
【特許文献１】特開２００１−２２６８０７号公報
【考案の概要】
【考案が解決しようとする課題】
【０００６】
しかしながら、特許文献１に記載されている介護用衣服は、被介護者が美感の面で満足して使用できるものではなかった。
【０００７】
また、例えば寝間着を着ている被介護者が会食等に参加する際、被介護者は寝間着のままでは格好が悪いと感じる一方で、着替えを行うとなると介護者に作業負担が生じてしまうため、寝間着を着替えることなく上に羽織る重ね着としても用いることができる被介護者用衣服があれば望ましい。
【０００８】
さらに、被介護者の排泄時には、従来の被介護者用衣服であれば脱がせる必要があったが、脱がせることなく排泄を可能とする被介護者用衣服があれば望ましい。
【０００９】
そこで、本考案は、上述した課題に鑑みてなされたものであり、被介護者に容易かつ迅速に着せることができると共に、美感に優れ、着ている服の上から羽織ることができ、排泄時にも脱がせることなく排泄を行うことができる被介護者用衣服を提供することを目的とする。
【課題を解決するための手段】
【００１０】
上記課題を解決すべく、本考案の被介護者用衣服は、右片部及び左片部を有し開閉可能な前身頃と、前身頃に連続する後身頃と、前身頃及び後身頃に連続する左右の袖部を備える。後身頃は切欠部を有する。切欠部は、下端部から袖部の脇下部近傍の高さに至るまで形成され下側から上側に向かうに従い漸次幅が狭くなっている。
【００１１】
上記被介護者用衣服は、右片部と左片部の裏側の下端部近傍にそれぞれ下側係止片が形成されていると共に、左右の袖部の肩部の近傍にそれぞれ上側係止片が形成されていて、下側係止片を上側係止片に係止可能であってもよい。
【００１２】
また、上記被介護者用衣服は、袖部の肩部近傍に形成された開口部と、袖部の先端部近傍の内側に一端部が固定され、他端部が開口部から外部に露出した調節紐と、調節紐の開口部から外部に露出した部分において調節紐にスライド可能かつ固定可能に取り付けられた、開口部よりも大きな径を有する固定具と、を備えていてもよい。
【００１３】
また、上記被介護者用衣服は、固定具が上側係止片になっていてもよい。
【００１４】
また、上記被介護者用衣服は、前身頃の右片部及び左片部を閉じ合わせるワンタッチ式固定具を備えていてもよい。
【００１５】
また、上記被介護者用衣服は、前身頃に帯状部が形成されていて、ワンタッチ式固定具は帯状部に形成されていてもよい。
【考案の効果】
【００１６】
本考案によれば、被介護者に容易かつ迅速に着させることができると共に、美感に優れ、着ている服の上から羽織ることができ、排泄時にも脱がせることなく排泄を行うことができる。
【図面の簡単な説明】
【００１７】
【図１】本考案の実施形態に係る被介護者用ガウンを示す正面図である。
【図２】本考案の実施形態に係る被介護者用ガウンの前身頃の右片部を開いた状態を示す正面図である。
【図３】本考案の実施形態に係る被介護者用ガウンを示す背面図である。
【図４】本考案の実施形態に係る被介護者用ガウンの裾を捲り上げた様子を示す正面図である。
【図５】本考案の実施形態に係る被介護者用ガウンの袖を捲り上げた様子を示す正面図である。
【考案を実施するための形態】
【００１８】
図１〜図３に示すように、本実施形態に係る被介護者用ガウン１は、被介護者用衣服の一例であり、中でも室内着として好ましく利用することができる。被介護者用ガウン１は、開閉可能な前身頃２と、前身頃２に連続する後身頃３と、前身頃２及び後身頃３に連続する左右の袖部４を備えて構成されている。
【００１９】
前身頃２は、右片部５と左片部６により構成されていて、開閉可能となっている。前身頃２の被介護者用ガウンの着用時に被介護者のウエスト部分に位置する箇所に、帯を模した布が縫い付けられている帯状部７が形成されている。また、前身頃２の帯状部７の上部には、ガウンを着用し帯を締めた際に形成されるしわを模したタック８が形成されている。なお、帯状部７は、本例のように、右片部５と左片部６とのそれぞれの外表面側に縫い付けられていてもよいが、他の態様でもよい。例えば、右片部５を、上半身用の第１布部材と、下半身用の第２布部材と、第１布部材と第２布部材との間に配される帯状部７とにより構成し、これらを互いに縫って接合させてもよい、左片部６についても同様である。また、タック８は、布をたたみこむようにしまい込んで固定した、いわゆるひだであり、これにより、被介護者の動きがより楽になるという利点もある。
【００２０】
このように、前身頃２に帯状部７とタック８が形成されていることにより、実際にガウンに帯を締めているような外観とすることができ、被介護者用ガウン１は美感が良好である。
【００２１】
前身頃２の右片部５を開くと、右片部５の裏側には、帯状部７の裏側に相当する位置に、ワンタッチ式固定具としてマグネットボタン９ａが設けられていると共に、左片部６の帯状部７上に、ワンタッチ式固定具としてマグネットボタン９ｂが設けられている。このマグネットボタン９ａとマグネットボタン９ｂは磁力により互いが吸着する。
【００２２】
このように、前身頃２の右片部５と左片部６をマグネットボタン９ａ、９ｂを用いて閉じる態様とすることにより、介護者は迅速かつ容易に前身頃２を開閉することができ、介護負担を軽減することができる。
【００２３】
また、マグネットボタン９ａ、９ｂを帯状部７に沿い形成することにより、被介護者に対して自然な着心地を提供することができると共に、被介護者用ガウン１の着用時には被介護者用ガウン１の布の動きやしわが実際に帯を締めているようなものとなり、被介護者用ガウン１の美感が良好である。
【００２４】
右片部５と左片部６の裏側の下端部近傍にはそれぞれループ状の紐体である係止部材の一例としての下側係止片１０ａ、１０ｂが形成されている。下側係止片１０ａは、右片部５において、後身頃３に接続する側とは反対側の下端の隅部に設けられ、下側係止片１０ｂは、左片部６において、後身頃３に接続する側とは反対側の下端の隅部に設けられている。
【００２５】
前身頃２から後身頃３にかけて、襟部１１が形成されている。襟部１１は着用時に被介護者の胸下から首回りに至るように形成されていて、ガウン特有のゴージャスな外観を形成している。図１〜３の左右方向において、襟部１１の中央は、後身頃３に縫いつけられて固定されている。固定している縫い目Ｎは、図１〜３における縦方向となっている。この固定により、被介護者に着せた場合に襟部１１の乱れが抑えられ、こうした乱れを介護者が直す手間が生じない。なお、図1〜４においては、裾や袖口等の近傍における主な縫い目Ｎを描いているが、図５においては図の煩雑化を避けるため襟部１１を固定する以外の縫い目Ｎの図示は略してある。
【００２６】
後身頃３には、その下端部（下端縁）から袖部４の脇下部４ａ近傍の高さに至るまで形成され、下側から上側に向かうに従い漸次幅が狭くなる切欠部１２が形成されている。
【００２７】
このような切欠部１２が形成されていることにより、被介護者が座ったままの状態で被介護者用ガウン１を着させることができ、介護者は作業を容易かつ迅速に行うことができる。なお、この例の切欠部１２の下端は、後身頃３の前身頃２と接続する下端３ｅとしているが、前身頃２と接続する接続位置よりも左右方向における内側としてもよい。
【００２８】
また、被介護者用ガウン１は着脱がしやすく被介護者が着用している寝間着の上から容易に重ね着することができるため、被介護者は介護者の負担を増加させることなく会食等の他人と会うイベントに積極的に参加することができる。
【００２９】
また、切欠部１２は被介護者が車いすや椅子に座った際には背もたれにより隠れる位置に形成されているため、ガウンとしての外観を損なうことなく、良好な外観となっている。このように、被介護者用ガウン１は車いすを利用する被介護者にとっても外観が良好である。切欠部１２は、後身頃３の概ね左右対称となるように逆Ｖ字状に形成されている。切欠部１２の端縁のラインは、図３に示すように、外側の凸の曲線状に形成されていることから、意図的に左右に開く場合を除いて、被介護者の腰部などが露呈しにくく、美観がよい。
【００３０】
さらに、切欠部１２が形成されていることにより、前身頃２と後身頃３の裾を前方に捲り上げることができ、排泄時にも被介護者用ガウン１を脱がせることなく排泄を行うことができる（図４参照）。この裾を捲り上げる動作については後に詳述する。なお、後身頃３のうち、前身頃２の右片部５に接続する下部領域には符号３ａを付し、左片部６に接続する下部領域には符号３ｂを付す。
【００３１】
袖部４は、袖と肩を覆う肩領域とが一体になったいわゆるラグラン袖として形成されている。袖部４のうち肩を覆う肩部（以下、肩部近傍と称する）４ｂには、前身頃２側及び後身頃３側に形成された一対の貫通孔である開口部１３が形成されている。そして、この開口部１３からは、調節紐１４が露出している。なお、左右それぞれの一対の開口部１３は、前身頃２側と後身頃３側とのいずれか一方に、形成されていてもよい。
【００３２】
調節紐１４は、ループ状の紐体であり、その一端部が袖部４の先端部（袖口）４ｃ近傍の内側に固定されていると共に、他端部が開口部１３から外部に露出してループを形成している。左右の袖部４のそれぞれには、肩の領域から袖口の近傍に至って、概ね直線状に表地と裏地とを縫う縫い目Ｎが３本あり、これらによって表地と裏地との間に、袖の長手方向に延びた袋状の袋部Ｐが２本形成されており、２本の袋部Ｐは、袖口近傍においては調節紐１４を固定する縫い目Ｎによって互いに独立している。調節紐１４は、これら２本の袋部２に通された状態となっている。このように、調節紐１４は袖部４の先端部４ｃに固定されているので、調節紐１４が袋部Ｐの内部にしまいこまれてしまうことがない。例えば、紐の端部同士を結んだ環状の調節紐が袖口近傍で連通する袋部に通されている場合には、結び目がほどけてしまった場合に、調節紐の一方の端部が袋部に位置してしまい、その端部を肩部の開口部１３から出す手間がかかるが、本例ではそうしたことがない。
【００３３】
調節紐１４の開口部１３から露出している部分には、開口部１３よりも大きな径を有する固定具１５が、調節紐１４にスライド可能かつ固定可能に取り付けられている。固定具１５は、内部にばねの弾性力を利用した固定機構（不図示）を有していて、ボタン１６を押した状態においては調節紐１４の固定を行わず調節紐１４に沿いスライド可能であり、ボタン１６が押されていない状態においては調節紐１４に固定される構造になっている。
【００３４】
この調節紐１４及び固定具１５を備えることにより、袖部４を容易に捲り上げたりおろしたりすることができると共に、捲り上げた状態を容易に保つことができる（図５参照）。この袖の捲り上げる動作については後に詳述する。
【００３５】
次に、被介護者用ガウン１の特徴的な機能について詳細に説明する。図４は、本考案の実施形態に係る被介護者用ガウンの裾を捲り上げた様子を示す正面図である。
【００３６】
図４に示すように、被介護者用ガウン１は、その後身頃３に切欠部１２が形成されていることにより、被介護者が被介護者用ガウン１を着用した状態において、前身頃２と後身頃３の裾を前方に捲り上げることができる。
【００３７】
このとき、右片部５と左片部６の裏側の下端部近傍にそれぞれ形成されている下側係止片１０ａ、１０ｂを、袖部４の肩部近傍４ｂに位置する固定具１５に引っ掛けることにより、前身頃２と後身頃３の裾を捲り上げた状態を保つことができる。
【００３８】
これにより、被介護者の排泄時にも被介護者用ガウン１を脱がせることなく、容易に排泄を行うことができ、介護者の作業負担を軽減することができる。
【００３９】
次に、被介護者用ガウン１の別の特徴的な機能について詳細に説明する。図５は、本考案の実施形態に係る被介護者用ガウン１の袖４を捲り上げた様子を示す正面図である。
【００４０】
図５に示すように、調節紐１４の外部に露出しているループ部分を引き上げることにより調節紐１４の一端部が固定されている袖部４が捲り上げられる。そして、調節紐１４のループ部分の基端部を固定具１５により固定することにより、袖部４が捲り上げられた状態を保つことができる。
【００４１】
これにより、被介護者が食事等をする際に介護者が被介護者の袖４を容易に捲り上げた状態にすることができ、介護者の作業負担を軽減することができる。
【００４２】
なお、本考案は上述した実施形態に限定されず、種々の変形を行うことができる。例えば、上述した実施形態においては下側係止片１０ａ、１０ｂを引っ掛ける部位として調節紐１４に取り付けられている固定具１５を用いたが、本考案においてはこれに限らず、下側係止片１０ａ、１０ｂを引っ掛ける部位として固定具１５とは異なる別の係止部材である例えば係止片（上側係止片）を袖部４の肩部近傍４ｂに別途設けてもよい。
【００４３】
こうした態様によっても、前身頃２と後身頃３の裾を捲り上げた状態を保つことができ、被介護者の排泄時にも被介護者用ガウン１を脱がせることなく、容易に排泄を行うことができる。
【００４４】
また、上述した実施形態においては前身頃２を閉じるためにワンタッチ式固定具としてマグネットボタン９ａ、９ｂを用いたが、本考案においてはこれに限らず、面ファスナー等の任意のワンタッチ式固定具を用いてもよい。
【００４５】
こうした態様によっても、介護者は迅速かつ容易に前身頃２を開閉することができ、介護負担を軽減することができる。
【００４６】
また、上述した実施形態においては加飾部として帯状部７及びタック８が形成されているが、本考案においてはこれに限らず、他の加飾部を形成してもよいことは言うまでもない。
【符号の説明】
【００４７】
１    被介護者用ガウン
２    前身頃
３    後身頃
４    袖部
５    右片部
６    左片部
７    帯状部
８    タック
９ａ、９ｂ    マグネットボタン
１０ａ、１０ｂ    下側係止片
１１  襟部
１２  切欠部
１３  開口部
１４  調節紐
１５  固定具
１６  ボタン
【図１】
0003233474.tif 000003
【図２】
0003233474.tif 000004
【図３】
0003233474.tif 000005
【図４】
0003233474.tif 000006
【図５】
0003233474.tif 000007